(57)【要約】【課題】本発明は、凝集物の発生を抑制した液体洗浄剤組成物を目的とする。【解決手段】（Ａ）成分：下記一般式（ａ１）で表されるノニオン界面活性剤と、（Ｂ）成分：前記（Ａ）成分及び高級脂肪酸塩を除く界面活性剤と、（Ｃ）成分：構造粘性付与剤と、を含有し、前記（Ａ）成分／前記（Ｂ）成分で表される質量比が０．１〜０．６である、液体洗浄剤組成物。  Ｒ１−ＣＯＯ−［（ＥＯ）ｓ／（ＰＯ）ｔ］−（ＥＯ）ｕ−Ｒ２・・・（ａ１）（一般式（ａ１）中、Ｒ１は炭素数７〜２２の炭化水素基であり、Ｒ２は炭素数１〜６のアルキル基である。ｓは、ＥＯの平均繰り返し数を表し、６〜２０の数であり、ｔはＰＯの平均繰り返し数を表し、０〜６の数であり、ｕはＥＯの平均繰り返し数を表し、０〜２０の数であり、ＥＯはオキシエチレン基を表し、ＰＯはオキシプロピレン基を表す。）【選択図】なし【特許請求の範囲】
【請求項１】
（Ａ）成分：下記一般式（ａ１）で表されるノニオン界面活性剤と、
（Ｂ）成分：前記（Ａ）成分及び高級脂肪酸塩を除く界面活性剤と、
（Ｃ）成分：構造粘性付与剤と、を含有し、
前記（Ａ）成分／前記（Ｂ）成分で表される質量比が０．１〜０．６である、液体洗浄剤組成物。
Ｒ１−ＣＯＯ−［（ＥＯ）ｓ／（ＰＯ）ｔ］−（ＥＯ）ｕ−Ｒ２・・・（ａ１）
（一般式（ａ１）中、Ｒ１は炭素数７〜２２の炭化水素基であり、Ｒ２は炭素数１〜６のアルキル基である。ｓは、ＥＯの平均繰り返し数を表し、６〜２０の数であり、ｔはＰＯの平均繰り返し数を表し、０〜６の数であり、ｕはＥＯの平均繰り返し数を表し、０〜２０の数であり、ＥＯはオキシエチレン基を表し、ＰＯはオキシプロピレン基を表す。）
【請求項２】
前記（Ｃ）成分が、下記一般式（ｃ１）で表されるモノマーから誘導された繰り返し単位及び下記一般式（ｃ２）で表されるモノマーから誘導された繰り返し単位より選ばれる１種以上の繰り返し単位を有するポリマーである、請求項１に記載の液体洗浄剤組成物。
【化１】
2019073568.tif 000011
（一般式（ｃ１）中、Ｒ５は水素原子又はメチル基であり、Ｒ６は水素原子である。一般式（ｃ２）中、Ｒ７は水素原子又はメチル基であり、Ｒ８は炭素数１〜４０のアルキル基である。）
【請求項３】
さらに、（Ｄ）成分：下記一般式（ｄ１）で表される繰り返し単位及び下記一般式（ｄ２）で表される繰り返し単位より選ばれる１種以上の繰り返し単位と、下記一般式（ｄ３）で表される繰り返し単位とを有するポリマー、を含有する、請求項１又は２に記載の液体洗浄剤組成物。
【化２】
2019073568.tif 000012
（一般式（ｄ１）中、Ｒ９、Ｒ１０は、それぞれ独立して炭素数１〜３のアルキル基又は炭素数１〜３のヒドロキシアルキル基であり、Ｘ−は対イオンである。一般式（ｄ２）中、Ｒ１１、Ｒ１２は、それぞれ独立して炭素数１〜３のアルキル基又は炭素数１〜３のヒドロキシアルキル基であり、Ｘ−は対イオンである。）
【化３】
2019073568.tif 000013
（一般式（ｄ３）中、Ｒ１３は水素原子又は炭素数１〜３のアルキル基であり、Ｒ１４、Ｒ１５はそれぞれ独立して、水素原子又は炭素数１〜３のアルキル基または炭素数１〜３のヒドロキシアルキル基である。）
【発明の詳細な説明】
【技術分野】
【０００１】
本発明は、液体洗浄剤組成物に関する。
【背景技術】
【０００２】
近年、節水、節電、時間短縮の観点から１回ですすぎを終えること（すすぎ性の向上）が求められている。洗浄力及びすすぎ性の向上には、ポリオキシエチレン脂肪酸メチルエステル(ＭＥＥ)を用いることが有効である。
加えて、液体洗浄剤には、柔軟性、香りの持続性等の機能の付与が求められている。機能の付与のためには、カプセル香料などの機能性粒子が用いられる。機能性粒子は水に不溶であるため、均一な分散状態を維持しにくい。
【０００３】
こうした問題に対して、特許文献１には、ＭＥＥとアクリル酸系高分子とを含有する液体洗浄剤が提案されている。特許文献１では、液体洗浄剤にアクリル酸系高分子を配合することで、機能性粒子の液体分散性を向上している。
【先行技術文献】
【特許文献】
【０００４】
【特許文献１】特開２０１７−７５２９５号公報
【発明の概要】
【発明が解決しようとする課題】
【０００５】
しかしながら、液体洗浄剤にＭＥＥとアクリル酸系高分子とを単に配合すると、凝集物が発生しやすくなる。このような凝集物は、液体洗浄剤の商品価値を下げるため、液体洗浄剤を製造する工程で、凝集物を除去する必要があった。
そこで、本発明は、凝集物の発生を抑制した液体洗浄剤組成物を目的とする。
【課題を解決するための手段】
【０００６】
鋭意検討を重ねた結果、本発明者等は、液体洗浄剤組成物中のＭＥＥと界面活性剤との配合割合を工夫することで、凝集物の発生を抑制した液体洗浄剤組成物が得られることを見出した。
即ち、本発明は、以下の態様を有する。
【０００７】
［１］（Ａ）成分：下記一般式（ａ１）で表されるノニオン界面活性剤と、（Ｂ）成分：前記（Ａ）成分及び高級脂肪酸塩を除く界面活性剤と、（Ｃ）成分：構造粘性付与剤と、を含有し、前記（Ａ）成分／前記（Ｂ）成分で表される質量比が０．１〜０．６である、液体洗浄剤組成物。
Ｒ１−ＣＯＯ−［（ＥＯ）ｓ／（ＰＯ）ｔ］−（ＥＯ）ｕ−Ｒ２・・・（ａ１）
（一般式（ａ１）中、Ｒ１は炭素数７〜２２の炭化水素基であり、Ｒ２は炭素数１〜６のアルキル基である。ｓは、ＥＯの平均繰り返し数を表し、６〜２０の数であり、ｔはＰＯの平均繰り返し数を表し、０〜６の数であり、ｕはＥＯの平均繰り返し数を表し、０〜２０の数であり、ＥＯはオキシエチレン基を表し、ＰＯはオキシプロピレン基を表す。）
［２］前記（Ｃ）成分が、下記一般式（ｃ１）で表されるモノマーから誘導された繰り返し単位及び下記一般式（ｃ２）で表されるモノマーから誘導された繰り返し単位より選ばれる１種以上の繰り返し単位を有するポリマーである、［１］に記載の液体洗浄剤組成物。
【０００８】
【化１】
2019073568.tif 000002
【０００９】
（一般式（ｃ１）中、Ｒ５は水素原子又はメチル基であり、Ｒ６は水素原子である。一般式（ｃ２）中、Ｒ７は水素原子又はメチル基であり、Ｒ８は炭素数１〜４０のアルキル基である。）
［３］さらに、（Ｄ）成分：下記一般式（ｄ１）で表される繰り返し単位及び下記一般式（ｄ２）で表される繰り返し単位より選ばれる１種以上の繰り返し単位と、下記一般式（ｄ３）で表される繰り返し単位とを有するポリマー、を含有する、［１］又は［２］に記載の液体洗浄剤組成物。
【００１０】
【化２】
2019073568.tif 000003
【００１１】
（一般式（ｄ１）中、Ｒ９、Ｒ１０は、それぞれ独立して炭素数１〜３のアルキル基又は炭素数１〜３のヒドロキシアルキル基であり、Ｘ−は対イオンである。一般式（ｄ２）中、Ｒ１１、Ｒ１２は、それぞれ独立して炭素数１〜３のアルキル基又は炭素数１〜３のヒドロキシアルキル基であり、Ｘ−は対イオンである。）
【００１２】
【化３】
2019073568.tif 000004
【００１３】
（一般式（ｄ３）中、Ｒ１３は水素原子又は炭素数１〜３のアルキル基であり、Ｒ１４、Ｒ１５はそれぞれ独立して、水素原子又は炭素数１〜３のアルキル基または炭素数１〜３のヒドロキシアルキル基である。）
【００１４】
［４］前記（Ａ）成分のナロー率が２０質量％以上である、［１］〜［３］のいずれかに記載の液体洗浄剤組成物。
［５］前記（Ａ）成分の含有量が、液体洗浄剤の総質量に対して５〜３０質量％である、［１］〜［４］のいずれかに記載の液体洗浄剤組成物。
［６］前記（Ｂ）成分が、（Ｂ−１）成分：（Ａ）成分を除くノニオン界面活性剤、を含有し、前記（Ａ）成分／前記（Ｂ−１）成分で表される質量比が、０．４〜１．６である、［１］〜［５］のいずれかに記載の液体洗浄剤組成物。
［７］前記（Ａ）成分／前記（Ｃ）成分で表される質量比が、２．５〜１１である、［１］〜［６］のいずれかに記載の液体洗浄剤組成物。
【発明の効果】
【００１５】
本発明の液体洗浄剤組成物によれば、凝集物の発生を抑制できる。
【発明を実施するための形態】
【００１６】
［液体洗浄剤組成物］
本発明の液体洗浄剤組成物（以下、単に液体洗浄剤ともいう）は、（Ａ）成分、（Ｂ）成分及び（Ｃ）成分を含有する組成物である。
【００１７】
＜（Ａ）成分＞
（Ａ）成分は、下記一般式（ａ１）で表されるノニオン界面活性剤（以下、化合物（ａ１）ともいう）である。本発明の液体洗浄剤は、（Ａ）成分を含有することで、洗浄力及びすすぎ性に優れる。
【００１８】
Ｒ１−ＣＯＯ−［（ＥＯ）ｓ／（ＰＯ）ｔ］−（ＥＯ）ｕ−Ｒ２・・・（ａ１）
一般式（ａ１）中、Ｒ１は炭素数７〜２２の炭化水素基であり、Ｒ２は炭素数１〜６のアルキル基である。ｓは、ＥＯの平均繰り返し数を表し、６〜２０の数であり、ｔはＰＯの平均繰り返し数を表し、０〜６の数であり、ｕはＥＯの平均繰り返し数を表し、０〜２０の数であり、ＥＯはオキシエチレン基を表し、ＰＯはオキシプロピレン基を表す。
【００１９】
一般式（ａ１）においてｔが１以上の場合、［（ＥＯ）ｓ／（ＰＯ）ｔ］は、ＥＯとＰＯとは、ブロック状に付加していてもよく、ランダム状に付加していてもよいことを示す。なお、ＥＯの平均繰り返し数は、ガスクロマトグラフィー等によって測定できる。ＰＯの平均繰り返し数も同様である。
【００２０】
化合物（ａ１）は、ポリオキシエチレン脂肪酸アルキルエステルが好ましい。
化合物（ａ１）は、一般式（ａ１）におけるＲ１が炭素数１１のアルキル基又は炭素数１３のアルキル基であり、Ｒ２がメチル基であり、ｓ＝１５であり、ｔ＝０、ｕ＝０である化合物（以下、ＭＥＥともいう）がより好ましい。
【００２１】
ポリオキシエチレン脂肪酸アルキルエステル、特にＭＥＥは、水溶液中で分子同士の配向性が弱く、ミセル（界面活性剤の分子又はイオンの集合体）が不安定なノニオン界面活性剤である。このため、ポリオキシエチレン脂肪酸アルキルエステルは、高濃度でゲル化等を生じない。仮に、ポリオキシエチレン脂肪酸アルキルエステルが、１種単独で多量に液体洗浄剤中に配合されても、水への溶解性を高められると推測される。
従って、ポリオキシエチレン脂肪酸アルキルエステルを含む液体洗浄剤が水に接触すると、速やかに分散されると考えらえる。また、液体洗浄剤中のポリオキシエチレン脂肪酸アルキルエステルの濃度が速やかに均一となり、洗浄初期から適切な濃度の液体洗浄剤と被洗物（繊維製品）とを接触させることができる。その結果、高い洗浄力を発揮できると考えられる。
【００２２】
化合物（ａ１）として、ポリオキシエチレン脂肪酸アルキルエステルの中でも、ナロー率が、２０質量％以上であるものが好ましい。ナロー率の上限値は実質的に８０質量％以下が好ましい。ナロー率は、２０〜６０質量％がより好ましく、２５〜４０質量％がさらに好ましい。ナロー率が上記下限値以上であると、良好な洗浄力が得られる。ナロー率が上記上限値以下であると、低温での液安定性の低下を抑制しやすい。
なお、ナロー率は、エチレンオキシドの付加モル数が異なる化合物の分布の割合を示す比率である。
ポリオキシエチレン脂肪酸アルキルエステル等のポリオキシアルキレン型ノニオン界面活性剤のナロー率は、下記の数式（Ｓ）で求められる。
【００２３】
【数１】
2019073568.tif 000005
【００２４】
式（Ｓ）において、Ｓｍａｘは、ポリオキシアルキレン型ノニオン界面活性剤中に最も多く存在するアルキレンオキシド付加体におけるアルキレンオキシドの付加モル数（式（ａ１）中のｓ＋ｔ＋ｕの値）を示す。
ｉはアルキレンオキシドの付加モル数を示す。
Ｙｉは、式（Ｓ）で表される成分全体の中に存在するアルキレンオキシドの付加モル数がｉであるアルキレンオキシド付加体の割合（質量％）を示す。
【００２５】
前記ナロー率は、例えば、ポリオキシエチレン脂肪酸アルキルエステルの製造方法等によって制御することができる。
ポリオキシエチレン脂肪酸アルキルエステルの製造方法としては特に限定されるものではないが、例えば、表面改質された複合金属酸化物触媒を用いて、脂肪酸アルキルエステルに酸化エチレンを付加重合させる方法（特開２０００−１４４１７９号公報参照）が挙げられる。
前記の表面改質された複合金属酸化物触媒の好適なものとしては、例えば、金属水酸化物等により表面改質された、金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）が添加された酸化マグネシウム等の複合金属酸化物触媒や、金属水酸化物及び金属アルコキシドより選ばれる１種以上により表面改質されたハイドロタルサイトの焼成物触媒等が挙げられる。
前記複合金属酸化物触媒の表面改質においては、複合金属酸化物１００質量部に対して、金属水酸化物及び金属アルコキシドより選ばれる１種以上の割合を０．５〜１０質量部とすることが好ましく、１〜５質量部とすることがより好ましい。
【００２６】
ポリオキシエチレン脂肪酸アルキルエステルの製造方法は上述した方法に限定されない。例えば、アルカリ土類金属化合物とオキシ酸等との混合物より調製されるアルコキシル化触媒により、脂肪酸アルキルエステルにアルキレンオキシドを付加する方法によっても、ポリオキシエチレン脂肪酸アルキルエステルを製造できる。上記のアルコキシル化触媒については、特許第０４９７７６０９号公報、国際公開第１９９３／００４０３０号公報、国際公開第２００２／０３８２６９号公報、国際公開第２０１２／０２８４３５号公報等で開示されており、例えば、カルボン酸のアルカリ土類金属塩及びヒドロキシカルボン酸のアルカリ土類金属塩より選ばれる１種以上と硫酸等との混合物より調製したアルコキシル化触媒等が挙げられる。
【００２７】
（Ａ）成分の含有量は、液体洗浄剤の総質量に対して、５〜３０質量％が好ましく、７〜２０質量％がより好ましく、１０〜１５質量％がさらに好ましい。（Ａ）成分の含有量が上記下限値以上であると、十分な洗浄力が得られる。（Ａ）成分の含有量が上記上限値以下であると、過度な増粘が抑制され、液体洗浄剤の保存安定性をより良好に維持できる。
【００２８】
（Ａ）成分の含有量は、界面活性剤の総質量に対して、８〜５０質量％が好ましく、１０〜４０質量％がより好ましく、１５〜３０質量％がさらに好ましい。（Ａ）成分の含有量が上記下限値以上であると、十分な洗浄力が得られる。（Ａ）成分の含有量が上記上限値以下であると、凝集物の発生を抑制しやすい。
なお、本明細書における界面活性剤は、（Ａ）成分、後述する（Ｂ）成分、後述する（Ｅ）成分である。
【００２９】
＜（Ｂ）成分＞
（Ｂ）成分は、（Ａ）成分及び高級脂肪酸塩を除く界面活性剤である。本発明の液体洗浄剤は、（Ｂ）成分を含有することで、衣類の汚れに対する洗浄力を発揮する。
本明細書において、「高級」脂肪酸とは、「炭素数８〜２２の」脂肪酸を意味する。
（Ｂ）成分としては、従来の液体洗浄剤に用いられる界面活性剤を用いることができる。（Ｂ）成分としては、例えば、ノニオン界面活性剤、アニオン界面活性剤、カチオン界面活性剤等が挙げられる。（Ｂ）成分としては、洗浄力を高める観点から、ノニオン界面活性剤及びアニオン界面活性剤が好ましい。
【００３０】
（（Ｂ−１）成分）
（Ｂ−１）成分は、（Ａ）成分を除くノニオン界面活性剤である。（Ｂ−１）成分としては、衣料用などの液体洗浄剤に通常用いられるノニオン界面活性剤を用いることができる。
（Ｂ−１）成分としては、例えば、（Ａ）成分を除くポリオキシアルキレン型ノニオン界面活性剤、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキル（又はアルケニル）アミンオキシド、硬化ヒマシ油のアルキレンオキシド付加体、糖脂肪酸エステル、Ｎ−アルキルポリヒドロキシ脂肪酸アミド、アルキルグリコシド等が挙げられる。
（Ｂ−１）成分は、１種を単独で用いてもよく、２種以上を併用してもよい。
【００３１】
（Ｂ−１）成分としては、上記の中でも、粘度及び液安定性の観点から、（Ａ）成分を除くポリオキシアルキレン型ノニオン界面活性剤が好ましい。
（Ａ）成分を除くポリオキシアルキレン型ノニオン界面活性剤としては、例えば、下記一般式（ｂ１）で表される化合物（以下、化合物（ｂ１）ともいう）が挙げられる。
Ｒ３−Ｏ−［（ＥＯ）ｕ／（ＰＯ）ｖ］−Ｈ    ・・・（ｂ１）
【００３２】
一般式（ｂ１）中、Ｒ３は炭素数１０〜２０の炭化水素基であり、ＥＯはオキシエチレン基を表し、ＰＯはオキシプロピレン基を表し、ｕはＥＯの平均繰り返し数を表し、５〜２０の数であり、ｖはＰＯの平均繰り返し数を表し、０〜４の数である。
【００３３】
一般式（ｂ１）中、Ｒ３の炭化水素基の炭素数は、１０〜２０であり、１２〜１８が好ましく、１２〜１４がより好ましい。Ｒ３の炭素数が上記下限値以上であると、液体洗浄剤の洗浄力がより高まる。Ｒ３の炭素数が上記上限値以下であると、保存安定性が向上し、特にゲル化が抑制されやすくなる。
Ｒ３の炭化水素基は、直鎖状であっても分岐鎖状であってもよく、又は環状の構造を含んでいてもよい。
Ｒ３の炭化水素基は、脂肪族炭化水素基であることが好ましく、直鎖状若しくは分岐鎖状のアルキル基、又は直鎖状若しくは分岐鎖状のアルケニル基がより好ましい。
【００３４】
化合物（ｂ１）は、単一鎖長の混合物であってもよく、複数の鎖長の混合物であってもよい。Ｒ３は、原料のアルコール（Ｒ３−ＯＨ）に由来する。該アルコールとしては、ヤシ油、パーム油もしくは牛脂などの天然油脂由来のアルコール、又は、石油由来の合成アルコールが挙げられる。
【００３５】
一般式（ｂ１）中、ｕは、ＥＯの平均繰り返し数を表す５〜２０の数であり、１２〜１８が好ましく、１２〜１６がより好ましい。ｕが上記数値範囲内であると、液体洗浄剤の洗浄力、特に皮脂汚れに対する洗浄力がより向上する。
一般式（ｂ１）中、ｖは、ＰＯの平均繰り返し数を表す０〜４の数であり、０〜３が好ましく、０が特に好ましい。ｖが上記数値範囲内であると、液体洗浄剤のゲル化が抑制されやすくなり、かつ、すすぎ時に良好な泡切れ性が得られやすい。
【００３６】
ｖが１以上の場合、すなわち、化合物（ｂ１）がＥＯ及びＰＯを有する場合、エチレンオキシド及びプロピレンオキシドの付加方法は特に限定されず、例えば、ランダム付加方法でもよく、ブロック付加方法でもよい。ブロック付加方法としては、例えば、エチレンオキシドを付加した後、プロピレンオキシドを付加する方法、プロピレンオキシドを付加した後、エチレンオキシドを付加する方法、エチレンオキシドを付加した後、プロピレオキシドを付加し、さらにエチレンオキシドを付加する方法等が挙げられる。
全自動洗濯機での洗濯におけるすすぎ性がより良好なことから、エチレンオキシドを付加した後にプロピレンオキシドを付加してさらにエチレンオキシドを付加する方法（末端が−Ｏ−ＣＨ２ＣＨ２Ｏ−Ｈとなること）が特に好ましい。
【００３７】
化合物（ｂ１）において、エチレンオキシド又はプロピレンオキシドの付加モル数分布は特に限定されず、化合物（ｂ１）の製造方法等によって制御できる。
例えば、水酸化ナトリウムや水酸化カリウム等の一般的なアルカリ触媒を用いて、エチレンオキシドやプロピレンオキシドを疎水性原料に付加させた際には、エチレンオキシド又はプロピレンオキシドの付加モル数分布が比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシドやプロピレンオキシドを疎水性原料に付加させた際には、エチレンオキシドやプロピレンオキシドの付加モル数分布が比較的狭い分布となる傾向にある。
【００３８】
化合物（ｂ１）としては、例えば、以下の化合物が挙げられる。
・ライオン株式会社製の商品名「レオックスＣＬ−７０」（炭素数１２のアルコールと炭素数１４のアルコールとの混合物）又はＳａｓｏｌ社製の商品名「Ｓａｆｏｌ２３」（炭素数１２のアルコールと炭素数１３のアルコールとの混合物）等のアルコールに対して１２モル又は１５モル相当のＥＯを付加した化合物。
・Ｐ＆Ｇ社製の商品名「ＣＯ−１２１４」や「ＣＯ−１２７０」等の天然アルコールに対して９モル、１２モル又は１５モル相当のＥＯを付加した化合物。
・炭素数１２〜１４の第２級アルコールに対して９モル、１２モル又は１５モル相当のＥＯを付加した化合物（日本触媒社製の商品名「ソフタノール９０」、「ソフタノール１２０」、「ソフタノール１５０」）。
【００３９】
（Ｂ−１）成分の含有量は、液体洗浄剤の総質量に対して、１〜７０質量％が好ましく、３〜５０質量％がより好ましく、５〜２０質量％がさらに好ましい。（Ｂ−１）成分の含有量が上記下限値以上であると、液体洗浄剤の洗浄力がより高まる。（Ｂ−１）成分の含有量が上記上限値以下であると、過度な増粘が抑制され、液体洗浄剤の保存安定性をより良好に維持できる。
【００４０】
液体洗浄剤中の（Ａ）成分／（Ｂ−１）成分で表される質量比（以下、（Ａ）／（Ｂ−１）比ともいう）は、０．４〜１．６が好ましく、０．６〜１．４がより好ましく、０．８〜１．２がさらに好ましい。（Ａ）／（Ｂ−１）比が上記下限値以上であると、すすぎ性に優れやすい。（Ａ）／（Ｂ−１）比が上記上限値以下であると、凝集物の発生を抑制しやすい。
【００４１】
（（Ｂ−２）成分）
（Ｂ−２）成分は、高級脂肪酸塩を除くアニオン界面活性剤である。本発明の液体洗浄剤は、（Ｂ−２）成分と、後述するカチオン界面活性剤とを併用することで、被洗物の柔軟性を高めやすい。
アニオン界面活性剤としては、例えば、直鎖アルキルベンゼンスルホン酸又はその塩、α−オレフィンスルホン酸又はその塩、直鎖状又は分岐鎖状のアルキル硫酸エステル又はその塩、アルキルエーテル硫酸エステル塩又はアルケニルエーテル硫酸エステル塩、アルキル基を有するアルカンスルホン酸塩、α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
【００４２】
上記のうち、直鎖アルキルベンゼンスルホン酸又はその塩としては、直鎖アルキル基の炭素数が８〜１６の直鎖アルキルベンゼンスルホン酸又はその塩が好ましく、直鎖アルキル基の炭素数１０〜１４の直鎖アルキルベンゼンスルホン酸又はその塩が特に好ましい。
アルキル基の炭素数が上記範囲内であれば、再汚染防止性の向上を図ることができる。アルキル基としては、例えば、デシル基、ウンデシル基、ドデシル基、トリデシル基、テトラデシル基が挙げられる。
直鎖アルキルベンゼンスルホン酸又はその塩としては、市販品を用いてもよいし、公知の合成方法で製造してもよい。公知の合成方法としては、アルキルベンゼンを無水硫酸でスルホン化する方法が挙げられる。
【００４３】
α−オレフィンスルホン酸又はその塩としては、炭素数１０〜２０のα−オレフィンスルホン酸又はその塩が好ましい。
アルキル硫酸エステル又はその塩としては、アルキル基の炭素数が１０〜２０のアルキル硫酸エステル又はその塩が好ましい。
【００４４】
アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルのオキシエチレン基（ＥＯ）を付加したもの、さらに平均０〜６モルのオキシプロピレン基（ＰＯ）を付加したもの（すなわち、ポリオキシエチレン(プロピレン)アルキルエーテル硫酸塩又はポリオキシエチレン(プロピレン)アルケニルエーテル硫酸塩）が好ましい。
【００４５】
ＥＯ及びＰＯの両方が付加された付加体である場合、ＥＯ及びＰＯの付加方法は、特に限定されず、例えばランダム付加であってもよく、ブロック付加であってもよい。ブロック付加方法としては、例えば、ＥＯを付加した後、ＰＯを付加する方法；ＰＯを付加した後、ＥＯを付加する方法；ＥＯを付加した後、ＰＯを付加し、さらにＥＯを付加する方法等が挙げられる。
【００４６】
アルカンスルホン酸塩としては、アルキル基の炭素数が１０〜２０のアルカンスルホン酸塩が好ましく、アルキル基の炭素数が１４〜１７のアルカンスルホン酸塩がより好ましい。中でも、前記アルキル基が２級アルキル基である２級アルカンスルホン酸塩が特に好ましい。
α−スルホ脂肪酸エステル塩としては、脂肪酸残基の炭素数が１０〜２０のα−スルホ脂肪酸エステル塩が好ましい。
【００４７】
（Ｂ−２）成分は、上記の中でも、洗浄力と安定性に優れる点で、直鎖アルキルベンゼンスルホン酸又はその塩、アルカンスルホン酸塩、ポリオキシエチレンアルキルエーテル硫酸塩、及びα−オレフィンスルホン酸塩が好ましく、直鎖アルキルベンゼンスルホン酸又はその塩、ポリオキシエチレンアルキルエーテル硫酸塩がより好ましく、ハンドリング性が高く、再汚染防止性能にも優れる点で、直鎖アルキルベンゼンスルホン酸ナトリウム（ＬＡＳ）が特に好ましい。
【００４８】
（Ｂ−２）成分としては、上述したアニオン界面活性剤以外の他のアニオン界面活性剤を用いてもよい。
他のアニオン界面活性剤としては、例えば、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。
【００４９】
これらのアニオン界面活性剤は、市場において容易に入手することができる。また、公知の方法により合成したものを用いてもよい。
これらのアニオン界面活性剤は、１種単独で用いてもよく、２種以上を適宜組み合わせて用いてもよい。
【００５０】
（Ｂ−２）成分の含有量は、液体洗浄剤の総質量に対して、２〜２０質量％が好ましく、５〜２０質量％がより好ましく、８〜１５質量％がさらに好ましい。（Ｂ−２）成分の含有量が上記下限値以上であると、再汚染防止効果及び（Ａ）成分の分散安定性が十分に発揮される。（Ｂ−２）成分の含有量が上記上限値以下であると、対イオンの割合を抑制でき、ガス吸収量を抑制しやすい。
【００５１】
（カチオン界面活性剤）
（Ｂ）成分は、（Ｂ−１）成分、（Ｂ−２）成分以外に他の界面活性剤を含有してもよい。他の界面活性剤としては、カチオン界面活性剤、両性界面活性剤等が挙げられる。
カチオン界面活性剤としては、例えば、アルキルトリメチルアンモニウム塩、ジアルキルジメチルアンモニウム塩、アルキルベンジルジメチルアンモニウム塩、アルキルピリジニウム塩等が挙げられる。
より具体的には、例えば、カプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドアルキル３級アミン又はその塩；パルミチン酸ジエタノールアミノプロピルアミド、ステアリン酸ジエタノールアミノプロピルアミド等が挙げられる。
これらのカチオン界面活性剤は、１種単独で用いてもよく、２種以上を適宜組み合わせて用いてもよい。
【００５２】
（両性界面活性剤）
両性界面活性剤としては、例えば、アルキルベタイン型、アルキルアミドベタイン型、イミダゾリン型、アルキルアミノスルホン酸型、アルキルアミノカルボン酸型、アルキルアミドカルボン酸型、アミドアミノ酸型又はリン酸型等の両性界面活性剤が挙げられる。
これらの両性界面活性剤は、１種単独で用いてもよく、２種以上を適宜組み合わせて用いてもよい。
【００５３】
（Ｂ）成分の含有量は、液体洗浄剤の総質量に対して、１〜９５質量％が好ましく、８〜７５質量％がより好ましく、１３〜４０質量％がさらに好ましい。（Ｂ）成分の含有量が上記下限値以上であると、液体洗浄剤の洗浄力がより高まる。（Ｂ）成分の含有量が上記上限値以下であると、過度な増粘が抑制され、液体洗浄剤の保存安定性をより良好に維持できる。
【００５４】
（Ｂ）成分の含有量は、界面活性剤の総質量に対して、４０〜９０質量％が好ましく、５０〜８５質量％がより好ましく、６０〜８０質量％がさらに好ましい。（Ｂ）成分の含有量が上記下限値以上であると、凝集物の発生を抑制しやすい。（Ｂ）成分の含有量が上記上限値以下であると、すすぎ性を向上しやすい。
【００５５】
液体洗浄剤中の（Ａ）成分／（Ｂ）成分で表される質量比（以下、（Ａ）／（Ｂ）比ともいう）は、０．１〜０．６であり、０．１〜０．５が好ましく、０．２〜０．５がより好ましい。（Ａ）／（Ｂ）比が上記下限値以上であると、すすぎ性に優れる。（Ａ）／（Ｂ）比が上記上限値以下であると、凝集物の発生を抑制しやすい。
【００５６】
＜（Ｃ）成分＞
（Ｃ）成分は、構造粘性付与剤である。本発明の液体洗浄剤は、（Ｃ）成分を含有することで、機能性粒子の分散性を向上し、液安定性をより高めやすい。
本明細書において、構造粘性付与剤は、チキソトロピー性付与剤ともいう。チキソトロピー性とは、ゲルのような塑性固体とゾルのような非ニュートン液体の中間的な物質が示す性質で、剪断力の大きさに応じて、時間経過とともに粘度が変化する性質のことをいう。構造粘性付与剤を含有すると、液体洗浄剤は、剪断力が小さいときは粘度が高くなり、かつ、剪断力が大きいときは粘度が低くなる性質を有する。すなわち、構造粘性付与剤を含有する液体洗浄剤は、静置（保存）時は粘度が高く機能性粒子の分散安定性が良好で、使用時にキャップに入れる際など、傾けたときに流動し良好な使用性を有する組成物となる。
【００５７】
（Ｃ）成分としては、アクリル酸系高分子やポリウレア系の高分子が挙げられる。（Ｃ）成分としては、アクリル酸系高分子が好ましい。
アクリル酸系高分子としては、下記一般式（ｃ１）で表されるモノマーから誘導された繰り返し単位及び下記一般式（ｃ２）で表されるモノマーから誘導された繰り返し単位より選ばれる１種以上の繰り返し単位を有するポリマーが挙げられる。
【００５８】
【化４】
2019073568.tif 000006
【００５９】
一般式（ｃ１）中、Ｒ５は水素原子又はメチル基であり、Ｒ６は水素原子である。一般式（ｃ２）中、Ｒ７は水素原子又はメチル基であり、Ｒ８は炭素数１〜４０のアルキル基である。
【００６０】
一般式（ｃ１）で表されるモノマーとしては、例えば、アクリル酸、メタクリル酸が挙げられる。
これらの一般式（ｃ１）で表されるモノマーは、１種を単独で用いてもよく、２種以上を併用してもよい。
【００６１】
一般式（ｃ２）中、Ｒ７は、水素原子又はメチル基であり、水素原子が好ましい。
一般式（ｃ２）中、Ｒ８におけるアルキル基は、直鎖状であっても分岐鎖状であってもよく、又は環状の構造を含んでいてもよい。
Ｒ８におけるアルキル基の炭素数は、１〜４０であり、１〜２０が好ましく、１〜１０がより好ましい。
【００６２】
一般式（ｃ２）で表されるモノマーとしては、例えば、アクリル酸メチル、アクリル酸エチル、アクリル酸ｎ−プロピル、アクリル酸ｎ−ブチル、アクリル酸オクチル、アクリル酸デシル、アクリル酸ドデシル、アクリル酸イコシル等のアクリル酸エステル；メタクリル酸メチル、メタクリル酸エチル、メタクリル酸ｎ−プロピル、メタクリル酸ｎ−ブチル、メタクリル酸デシル、メタクリル酸ドデシル、メタクリル酸イコシル等のメタクリル酸エステルが挙げられる。
これらの一般式（ｃ２）で表されるモノマーは、１種を単独で用いてもよく、２種以上を併用してもよい。
【００６３】
（Ｃ）成分は、架橋されているものが好ましい。なお、（Ｃ）成分は、架橋されていないものでもよい。
（Ｃ）成分の架橋されているものとしては、例えば、架橋剤により架橋されているもの（高分子架橋体）が挙げられる。
前記架橋剤としては、例えば、アリルエーテル化合物が挙げられる。
【００６４】
アリルエーテル化合物としては、アリルエーテル、糖のアリルエーテル、糖アルコールのアリルエーテル等が挙げられる。
糖のアリルエーテルにおける糖としては、例えば、スクロース等が挙げられる。
糖アルコールのアリルエーテルにおける糖アルコールとしては、例えば、ペンタエリスリトール等が挙げられる。
【００６５】
（Ｃ）成分は、一般式（ｃ１）で表されるモノマーから誘導された繰り返し単位及び一般式（ｃ２）で表されるモノマーから誘導された繰り返し単位以外の繰り返し単位（他の繰り返し単位）を有していてもよい。
他の繰り返し単位としては、他のモノマーから誘導された繰り返し単位が挙げられる。
他のモノマーとしては、一般式（ｃ１）で表されるモノマー及び一般式（ｃ２）で表されるモノマーと共重合可能であれば特に限定されず、１種以上を用いることができる。
（Ｃ）成分は、１種を単独で用いてもよく、２種以上を併用してもよい。
【００６６】
（Ｃ）成分の市販品としては、例えば、以下のものが挙げられる。
架橋タイプの（Ｃ）成分の市販品としては、例えば、Ｌｕｂｒｉｚｏｌ社製のアクリル酸アルキル、メタクリル酸アルキル、アクリル酸及びメタクリル酸から選ばれる２種類以上のモノマーからなる架橋型共重合体である商品名「Ｃａｒｂｏｐｏｌ  Ａｑｕａ３０」；Ｌｕｂｒｉｚｏｌ社製のアクリル酸アルキル(Ｃ１〜Ｃ４及びＣ８)、メタクリル酸アルキル（Ｃ１〜Ｃ４及びＣ８）、アクリル酸及びメタクリル酸から選ばれる２種類以上のモノマーからなる架橋型共重合体である「Ｃａｒｂｏｐｏｌ  Ａｑｕａ  ＳＦ−１」；Ｌｕｂｒｉｚｏｌ社製のアクリル酸アルキル（Ｃ１０〜Ｃ３０）、メタクリル酸アルキル（Ｃ１０〜Ｃ３０）及びアクリル酸から選ばれる２種類以上のモノマーからなる架橋型共重合体である商品名「Ｃａｒｂｏｐｏｌ  ＥＺ−４」；ＤＯＷ社製のアクリル酸アルキルと、アクリル酸又はメタクリル酸とからなる架橋型共重合体である商品名「ＡＣＵＳＯＬ  ８３０」等が挙げられる。 
非架橋タイプの（Ｃ）成分の市販品としては、例えばＬｕｂｒｉｚｏｌ社製のアクリル酸アルキル、メタクリル酸アルキル、アクリル酸及びメタクリル酸から選ばれる２種類以上のモノマーからなる共重合体である商品名「Ｎｏｖｅｔｈｉｘ  ＨＣ２００」等が挙げられる。
【００６７】
ポリウレア系の高分子の市販品としては、例えば、ビッグケミー社のＢＹＫ−４１０、ＢＹＫ−４１１、ＢＹＫ−４２０、ＢＹＫ−４２５、ＢＹＫ−４２８、ＢＹＫ−７４１１ＥＳ、ＢＹＫ−７４２０ＥＴ、ＢＹＫ−Ｄ４１０等が挙げられる。
【００６８】
（Ｃ）成分の含有量は、液体洗浄剤の総質量に対して、０．１〜５質量％が好ましく、０．５〜４質量％がより好ましく、１．０〜２質量％がさらに好ましい。（Ｃ）成分の含有量が上記下限値以上であると、液体洗浄剤の液安定性を向上しやすい。（Ｃ）成分の含有量が上記上限値以下であると、過度な増粘が抑制され、液体洗浄剤の保存安定性をより良好に維持できる。
【００６９】
液体洗浄剤中の（Ａ）成分／（Ｃ）成分で表される質量比（以下、（Ａ）／（Ｃ）比ともいう）は、２．５〜１１が好ましく、５〜１０がより好ましく、７〜９がさらに好ましい。（Ａ）／（Ｃ）比が上記下限値以上であると、（Ｃ）成分の分散性が向上し、凝集物の発生を抑制しやすい。（Ａ）／（Ｃ）比が上記上限値以下であると、（Ａ）成分と（Ｃ）成分との水和による水の減少を防ぎ、（Ｃ）成分が均一に膨潤するため、凝集物の発生を抑制しやすい。
【００７０】
＜任意成分＞
本発明の液体洗浄剤は、本発明の効果を損なわない範囲内であれば、（Ａ）成分、（Ｂ）成分、（Ｃ）成分以外の任意成分を含有してもよい。
任意成分としては、例えば、柔軟剤、高級脂肪酸塩、消泡剤、水、有機溶剤、キレート剤、酵素、ハイドロトロープ剤、再汚染防止剤（ソイルリリース剤）、洗浄性ビルダー、安定化剤、アルカリ剤（例えば、モノエタノールアミン、ジエタノールアミン、トリエタノールアミンなどのアルカノールアミン等）、金属イオン捕捉剤、シリコーン等の風合い向上剤、防腐剤、蛍光剤、移染防止剤、パール剤、酸化防止剤、抗菌剤、着色剤として汎用の色素又は顔料、乳濁化剤、香料、不溶粒子、ｐＨ調整剤等が挙げられる。
【００７１】
（（Ｄ）成分）
本発明の液体洗浄剤は、（Ｄ）成分を含有してもよい。（Ｄ）成分は、下記一般式（ｄ１）で表される繰り返し単位及び下記一般式（ｄ２）で表される繰り返し単位より選ばれる１種以上の繰り返し単位と、下記一般式（ｄ３）で表される繰り返し単位と、を有するポリマーである。本発明の液体洗浄剤は、（Ｄ）成分を含有することで、洗濯後の被洗物に対して、ふんわりとしたボリュームのある感触を付与できる。
【００７２】
【化５】
2019073568.tif 000007
【００７３】
一般式（ｄ１）中、Ｒ９、Ｒ１０は、それぞれ独立して炭素数１〜３のアルキル基又は炭素数１〜３のヒドロキシアルキル基であり、Ｘ−は対イオンである。一般式（ｄ２）中、Ｒ１１、Ｒ１２は、それぞれ独立して炭素数１〜３のアルキル基又は炭素数１〜３のヒドロキシアルキル基であり、Ｘ−は対イオンである。
【００７４】
【化６】
2019073568.tif 000008
【００７５】
一般式（ｄ３）中、Ｒ１３は水素原子又は炭素数１〜３のアルキル基であり、Ｒ１４、Ｒ１５はそれぞれ独立して、水素原子又は炭素数１〜３のアルキル基または炭素数１〜３のヒドロキシアルキル基である。
【００７６】
なお、上記一般式（ｄ１）で表される繰り返し単位及び上記一般式（ｄ２）で表される繰り返し単位からなる群より選ばれる１種以上の繰り返し単位は、下記一般式（ｄ４）で表されるジアルキルジアリルアンモニウム塩モノマーに由来する繰り返し単位である。
【００７７】
【化７】
2019073568.tif 000009
【００７８】
一般式（ｄ４）中、Ｒ１６、Ｒ１７はそれぞれ独立して、炭素数１〜３のアルキル基又は炭素数１〜３のヒドロキシアルキル基であり、Ｘ−は対イオンである。
【００７９】
上記一般式（ｄ１）、（ｄ２）、（ｄ４）中、Ｘ−は対イオンである。対イオンとしては、例えば、塩素イオン、臭素イオン等のハロゲンイオン、硫酸イオン、硝酸イオン、亜硫酸イオン等の無機酸イオン、メチル硫酸イオン、酢酸イオン、乳酸イオン等の有機酸イオン等が挙げられる。
【００８０】
（Ｄ）成分の質量平均分子量は、通常１，０００〜５，０００，０００であり、３，０００〜２，０００，０００が好ましく、１０，０００〜２,０００，０００がより好ましい。なお、本明細書における質量平均分子量は、ポリエチレングリコールを標準物質として、ゲル浸透クロマトグラフィー（ＧＰＣ）により求めた値を意味する。
【００８１】
（Ｄ）成分の重合の形態は、特に限定されず、ブロック重合、ランダム重合又はグラフト重合のいずれであってもよい。
（Ｄ）成分中の（ｄ１）で表される繰り返し単位、及び（ｄ２）で表される繰り返し単位と、（ｄ３）で表される繰り返し単位との含有比は特に限定されないが、（ｄ１）で表される繰り返し単位、及び（ｄ２）で表される繰り返し単位と、（ｄ３）で表される繰り返し単位とのモル比が、［（ｄ１）で表される繰り返し単位、及び（ｄ２）で表される繰り返し単位］：［（ｄ３）で表される繰り返し単位］＝１：９〜７：３が好ましく、２：８〜６：４がより好ましい。
【００８２】
上記一般式（ｄ１）で表される繰り返し単位、及び上記一般式（ｄ２）で表される繰り返し単位からなる群から選択される少なくとも１種の繰り返し単位を有するポリマーとしては、ジアリルジメチルアンモニウムクロライドから誘導されるポリマーが挙げられ、市販品としては、例えばＬｕｂｒｉｚｏｌ社製の商品名「マーコート１００」が挙げられる。
【００８３】
上記一般式（ｄ１）で表される繰り返し単位、及び上記一般式（ｄ２）で表される繰り返し単位からなる群から選択される少なくとも１種の繰り返し単位と、上記一般式（ｄ３）で表される繰り返し単位とを有するポリマーとしては、ジアリルジメチルアンモニウムクロライド・アクリルアミドコポリマー、ジアリルジメチルアンモニウムクロライド・アクリルアミド・アクリル酸ターポリマー等が挙げられる。
これらのポリマーとしては、合成品を用いてもよいし、市販品を用いてもよい。
【００８４】
上記ポリマーは、特に限定されないが、通常のラジカル重合により製造できる。例えば、ジアリルジメチルアンモニウムクロライドや、アクリルアミド等の（Ｄ）成分を構成するモノマーを、塊状重合、溶液重合、乳化重合、懸濁重合等の重合方法により重合することで製造できる。また、重合の際には、通常のラジカル重合に用いられる重合開始剤を使用することが好ましく、例えば、ベンゾイルパーオキサイド、過硫酸カリウム等の過酸化物、アゾビスイソブチロニトリル、アゾビスシアノ吉草酸等のアゾ化合物を用いることができる。
【００８５】
上記コポリマーの市販品としては、例えば、Ｌｕｂｒｉｚｏｌ社製の商品名「マーコート５５０」、「マーコート７４０」、「マーコート２２００」、「Ｎｏｖｅｒｉｔｅ３００」、「Ｎｏｖｅｒｉｔｅ３０１」、「Ｎｏｖｅｒｉｔｅ３０２」等が挙げられる。
また、上記ターポリマーの市販品としては、例えば、Ｌｕｂｒｉｚｏｌ社製の商品名「マーコート３３３０」、「マーコート３９４０」等が挙げられる。
これらの（Ｄ）成分は、１種単独で用いられてもよいし、２種以上が組み合わされて用いられてもよい。
【００８６】
本発明の液体洗浄剤が（Ｄ）成分を含有する場合、（Ｄ）成分の含有量は、液体洗浄剤の総質量に対して、０．０１〜１０質量％が好ましく、０．０５〜３質量％がより好ましく、０．１〜１質量％がさらに好ましい。（Ｄ）成分の含有量が上記数値範囲内であると、被洗物に、ふんわりとしたボリュームのある感触を付与しやすい。
【００８７】
（（Ｅ）成分）
（Ｅ）成分は、高級脂肪酸又はその塩である。本発明の液体洗浄剤は、（Ｅ）成分を含有することで、すすぎ性をより向上しやすい。すすぎ性が向上すると洗浄処理後のすすぎ処理の時間を短縮できる。
【００８８】
高級脂肪酸としては、炭素数８〜１８の鎖状モノカルボン酸が好ましい。具体的には、一般式：Ｒ１８−ＣＯＯＨ［式中、Ｒ１８は炭素数７〜１７の脂肪族炭化水素基である。］で表される化合物が挙げられる。
前記式中、Ｒ１８の脂肪族炭化水素基は、直鎖状であっても分岐鎖状であってもよく、直鎖状若しくは分岐鎖状のアルキル基、又は直鎖状若しくは分岐鎖状のアルケニル基が好好ましい。Ｒ１８の脂肪族炭化水素基における炭素数は７〜１７であり、炭素数１１〜１７が好ましい。Ｒ１８の炭素数が７以上であると、再汚染防止効果がより高まる。一方、Ｒ１８の炭素数が１７以下であると、（Ｅ）成分の水への溶解性がより高まる。
【００８９】
（Ｅ）成分における塩の形態としては、アルカリ金属塩、アルカリ土類金属塩、アミン塩、又はアンモニウム塩等が挙げられる。
アルカリ金属塩としては、ナトリウム塩、又はカリウム塩等が挙げられる。
アルカリ土類金属塩としては、カルシウム塩、又はマグネシウム塩等が挙げられる。
アミン塩としては、アルカノールアミン塩（モノエタノールアミン塩、ジエタノールアミン塩、又はトリエタノールアミン塩など）等が挙げられる。
（Ｅ）成分は、１種単独で用いてもよく、２種以上を適宜組み合わせて用いてもよい。
また、（Ｅ）成分は、単一鎖長の混合物であってもよく、２以上の鎖長の混合物であってもよい。
【００９０】
本発明の液体洗浄剤が（Ｅ）成分を含有する場合、（Ｅ）成分の含有量は、液体洗浄剤の総質量に対して、２〜８質量％が好ましい。（Ｅ）成分の含有量が上記数値範囲内であると、液体洗浄剤のすすぎ性を向上しやすい。
【００９１】
（（Ｆ）成分）
（Ｆ）成分は、消泡剤である。本発明の液体洗浄剤は、（Ｆ）成分を含有することで、すすぎ性をより向上しやすい。
（Ｆ）成分としては、シリコーン等に加えて、特開２０１７−８１３９号公報に記載の脂肪酸エステルが挙げられる。例えば、２−エチルヘキサン酸２−エチルヘキシル、２−エチルヘキサン酸２−エチルブチル、２−エチルヘキサン酸２−エチルオクチル、２−エチルヘキサン酸２−エチルデシル、２−エチルヘキサン酸２−エチルドデシルからなる群より選択される１つ以上の化合物が好ましく、これらの中でも２−エチルヘキサン酸２−エチルヘキシルが特に好ましい。
【００９２】
本発明の液体洗浄剤が（Ｆ）成分を含有する場合、（Ｆ）成分の含有量は、液体洗浄剤の総質量に対して、０．０１〜５質量％が好ましい。（Ｆ）成分の含有量が上記数値範囲内であると、液体洗浄剤のすすぎ性を向上しやすい。
【００９３】
（水）
本発明の液体洗浄剤は、製造時のハンドリングのし易さ、使用する際の水への溶解性等の観点から、溶剤として水を含有することが好ましい。
水の含有量は特に限定されず、液体洗浄剤の総質量に対して、１０〜９０質量％が好ましい。
【００９４】
（有機溶剤）
本発明の液体洗浄剤は、有機溶剤を含むことができる。有機溶剤としては、例えば、炭素数２〜４の一価アルコール、炭素数２〜４の多価アルコール、Ｒ１９−（ＯＲ２０）ｍＯＨ［式中、Ｒ１９は炭素数１〜６のアルキル基又はフェニル基であり、Ｒ２０は炭素数２〜４のアルキレン基であり、ｍは平均付加モル数を表し１〜５である。］で表されるグリコールエーテル系溶剤、及びＣＨ３ＯＣＲ２１（ＣＨ３）ＣＨＲ２２ＣＨＲ２３ＯＲ２４［式中Ｒ２１〜Ｒ２３は、それぞれ独立に水素原子又は炭素数１〜３のアルキル基、Ｒ２４は水素原子又はアセチル基］で表される溶剤からなる群から選択される溶剤が挙げられる。
【００９５】
炭素数２〜４の１価アルコールとしては、例えば、エタノール、１−プロパノール、２−プロパノール、１−ブタノール等が挙げられる。
炭素数２〜４の多価アルコールとしては、例えば、エチレングリコール、プロピレングリコール、ブチレングリコール、グリセリン等が挙げられる。
前記式Ｒ１９−（ＯＲ２０）ｍＯＨで表されるグリコールエーテル系溶剤としては、例えば、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
前記式ＣＨ３ＯＣＲ２１（ＣＨ３）ＣＨＲ２２ＣＨＲ２３ＯＲ２４で表される溶剤としては、例えば、３−メトキシメタノール、３−メトキシ−３−メチル−１−ブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテート等が挙げられる。
【００９６】
有機溶剤としては、液体洗浄剤としての流動性、臭気の穏やかな点や原料の入手のしやすさから、エタノール、プロピレングリコール、グリセリン、ジエチレングリコールモノブチルエーテル、３−メトキシ−３−メチル−１−ブタノールが好ましい。
この他、有機溶剤としては、ポリエチレングリコール等の水混和性有機溶剤が挙げられる。
本発明の液体洗浄剤が有機溶剤を含有する場合、有機溶剤の含有量は、液体洗浄剤の総質量に対して、３〜２５質量％が好ましい。
有機溶剤は、１種を単独で用いてもよく、２種以上を組み合わせて用いてもよい。
【００９７】
（ハイドロトロープ剤）
ハイドロトロープ剤としては、パラトルエンスルホン酸、安息香酸塩、及び尿素等が挙げられる。
本発明の液体洗浄剤がハイドロトロープ剤を含む場合、ハイドロトロープ剤の含有量は、液体洗浄剤の総質量に対し、０．０１〜１５質量％が好ましい。
【００９８】
（再汚染防止剤）
再汚染防止剤としては、アルキレンテレフタレート単位、及びアルキレンイソフタレート単位からなる群から選択される少なくとも一種の繰り返し単位と、オキシアルキレン単位、及びポリオキシアルキレン単位からなる群から選択される少なくとも一種の繰り返し単位と、を有する水溶性ポリマー（ソイルリリースポリマー）が挙げられる。
具体的には、商品名「ＴｅｘＣａｒｅ  ＳＲＮ−１００」（クラリアント社製、重量平均分子量２０００〜３０００）、商品名「ＴｅｘＣａｒｅ  ＳＲＮ−３００」（クラリアント社製、重量平均分子量７０００）、商品名「Ｒｅｐｅｌ−Ｏ−Ｔｅｘ  Ｃｒｙｓｔａｌ」（ローディア社製）、商品名「Ｒｅｐｅｌ−Ｏ−Ｔｅｘ  ＱＣ」（ローディア社製）等が挙げられる。これらの中では、水への溶解性が高く、保存安定性にも優れる点から、ＴｅｘＣａｒｅ  ＳＲＮ−１００が好ましい。また、取り扱い性に優れる点から、前記ＴｅｘＣａｒｅ  ＳＲＮ−１００の７０％水溶液として市販されている商品名ＴｅｘＣａｒｅ  ＳＲＮ−１７０（クラリアント社製）が用いられることが好ましい。
他の再汚染防止剤としては、ポリアルキレンイミンのアルキレンオキシド付加体、ポリアルキレンアミンのアルキレンオキシド付加体が挙げられる。具体的には、商品名「Ｓｏｋａｌａｎ  ＨＰ２０」（ＢＡＳＦ社製）等が挙げられる。
本発明の液体洗浄剤が再汚染防止剤を含む場合、再汚染防止剤の含有量は、液体洗浄剤の総質量に対し、０．０１〜５質量％が好ましい。
【００９９】
（金属イオン捕捉剤（キレート剤））
金属イオン捕捉剤（キレート剤）としては、マロン酸、コハク酸、リンゴ酸、ジグリコール酸、酒石酸、クエン酸等が挙げられる。
本発明の液体洗浄剤が金属イオン捕捉剤を含有する場合、金属イオン捕捉剤の含有量は、液体洗浄剤の総質量に対し、０．１〜２０質量％が好ましい。
【０１００】
（防腐剤）
防腐剤としては、ダウ・ケミカル社製「ケーソンＣＧ」（商品名）、ソー・ジャパン社製「アクチサイドＭＢＳ」（商品名）、クラリアント社製「ＮＩＰＡＣＩＤＥ  ＢＩＴ  ２０」（商品名）等が挙げられる。
【０１０１】
（酸化防止剤）
酸化防止剤としては、ブチルヒドロキシトルエン、ジスチレン化クレゾール、亜硫酸ナトリウム、亜硫酸水素ナトリウム等が挙げられる。
本発明の液体洗浄剤が酸化防止剤を含む場合、酸化防止剤の含有量は、液体洗浄剤の総質量に対し、０．０１〜２質量％が好ましい。
【０１０２】
（着色剤）
着色剤としては、例えば、アシッドレッド１３８、Ｐｏｌａｒ  Ｒｅｄ  ＲＬＳ、アシッドイエロー２０３、アシッドブルー９、青色１号、青色２０５号、緑色３号、赤色１０６号、黄色２０３号、ターコイズＰ−ＧＲ（いずれも商品名）等の汎用の色素や顔料等が挙げられる。
本発明の液体洗浄剤が着色剤を含む場合、着色剤の含有量は、液体洗浄剤の総質量に対して、０．００００５〜０．００５質量％が好ましい。
【０１０３】
（香料）
香料としては、例えば、特開２００２−１４６３９９号公報に記載の香料成分等が挙げられる。
本発明の液体洗浄剤が香料を含む場合、香料の含有量は、液体洗浄剤の総質量に対して、０．０１〜２質量％が好ましい。
【０１０４】
（不溶粒子）
本発明の液体洗浄剤は、不溶粒子を含有してもよい。不溶粒子とは、液体洗浄剤を構成する成分に溶けにくい粒子のことである。
不溶粒子としては、例えば、カプセル粒子、特有の製品審美性を付与するためのビーズや真珠光沢剤、ベントナイト、カルボキシメチルセルロース（ＣＭＣ）等が挙げられる。これらの不溶粒子は、１種を単独で用いてもよく、２種以上を併用してもよい。
【０１０５】
カプセル粒子は、高分子化合物で形成されたカプセル壁によって有効成分が内包されたものである。
カプセル粒子は、公知の方法により製造でき、例えば、界面重合法、ｉｎ−ｓｉｔｕ重合法等が挙げられる。
カプセル壁を形成する高分子化合物としては、例えば、ポリアクリル酸系、ポリビニル系、ポリメタクリル酸系、メラミン系、ウレタン系等の合成高分子が挙げられる。これらは、１種を単独で用いてもよく、２種以上を併用してもよい。
有効成分としては、香料成分、日焼け止め成分（紫外線吸収剤、紫外線散乱剤等）等が挙げられる。
以下、高分子化合物で形成されたカプセル壁によって香料成分が内包されたカプセル粒子を「カプセル香料」ともいう。
カプセル香料の具体例としては、例えば、以下に示すカプセル香料Ａ、カプセル香料Ｂ、カプセル香料Ｃ等が挙げられる。
【０１０６】
カプセル香料Ａ：
カプセル香料Ａは、以下の香料成分を含む。
リモネン（０．１０質量％）、エチル２−メチルブチレート（３．５０質量％）、トリプラール（５．００質量％）、ガルバスコン（０．２０質量％）、スピロガルバノン（０．６０質量％）、シクラセット（９．００質量％）、シクラブート（０．１０質量％）、トリシクロデセニルアセテート（１９．００質量％）、ベルドックス（１８．００質量％）、ネクタリル（１５．００質量％）、テトラヒドロリナロール（１４．００質量％）、α−イオノン（０．５０質量％）、β−イオノン（１４．００質量％）、ジプロピレングリコール（１．００質量％）。
【０１０７】
カプセル香料Ｂ：
カプセル香料Ｂは、以下の香料成分を含む。
トリプラール（２．４０質量％）、シクラセット（１０．００質量％）、トリシクロデセニルプロピオネート（１０．００質量％）、イソプロピルメチル−２−ブチレート（１．７０質量％）、マンザネート（２．００質量％）、ベルドックス（１４．００質量％）、アリルアミルグリコレート（２．００質量％）、アリルシクロヘキシルプロピオネート（５．００質量％）、γ−デカラクトン（０．５０質量％）、γ−ウンデカラクトン（７．５０質量％）、α−ダマスコン（０．２５質量％）、ネロール（０．２０質量％）、ヘディオン（５．００質量％）、リリアール（１２．００質量％）、リナロール（２３．００質量％）、ｐ−ｔ−ブチルシクロヘキシルアセテート（０．２０質量％）、バニリン（０．１０質量％）、ライムオキサイド（２．４０質量％）、ジプロピレングリコール（１．７５質量％）。
【０１０８】
カプセル香料Ｃ：
カプセル香料Ｃは、以下の香料成分を含む。
ヘキシルサリチレート（３．７１質量％）、エチル２−メチルブチレート（３．３０質量％）、ジヒドロオイゲノール（８．４９質量％）、カンファー（１．４６質量％）、１，４−シネオール（１．２８質量％）、ベルドックス（９．０４質量％）、γ−ノナラクトン（０．８４質量％）、γ−デカラクトン（２．５８質量％）、γ−ウンデカラクトン（３．７０質量％）、アリルカプロエート（７．４７質量％）、ヘキシルアセテート（１．２７質量％）、ゲラニルプロピオネート（６．３８質量％）、プレニルアセテート（１．５２質量％）、アリルフェノキシアセテート（０．６０質量％）、ジメチルベンジルカルビニルブチレート（０．９５質量％）、ネクタリル（８．５４質量）、ゲラニルアセテート（１１．１３質量％）、リリアール（１１．５１質量％）、シクラメンアルデヒド（３．０５質量％）、アミルサリチレート（１．３９質量％）、イソイースーパー（１．０８質量％）、γ−メチルイオノン（１．３４質量％）、アンブロキサン（０．１３質量％）、ハバノライド（０．３７質量％）、アニスアルデヒド（８．４６質量％）、ライムオキサイド（０．４１質量％）。
【０１０９】
本発明の液体洗浄剤は、カプセル香料を含有することで消臭性を向上しやすくなる。これらは、１種単独で用いられてもよいし、２種以上が組み合わされて用いられてもよい。
カプセル香料の平均粒径は、１〜５０μｍが好ましく、５〜４０μｍがより好ましく、１０〜２５μｍがさらに好ましい。
なおカプセル香料の平均粒径は、レーザー回折・散乱法により測定される値を示す。
本発明の液体洗浄剤がカプセル香料を含有する場合、カプセル香料の含有量は、液体洗浄剤の総質量に対して、０．０１〜０．４質量％が好ましい。
【０１１０】
本発明の液体洗浄剤が不溶粒子を含有する場合、不溶粒子の含有量は、液体洗浄剤の総質量に対して、０．０１〜２０質量％が好ましい。
【０１１１】
（ｐＨ調整剤）
本発明の液体洗浄剤は、２５℃におけるｐＨが４〜１０であることが好ましく、４〜９であることがより好ましく、４〜８であることがさらに好ましい。２５℃におけるｐＨが上記数値範囲であると、液体洗浄剤の保存安定性を良好に維持できる。
液体洗浄剤のｐＨは、必要に応じて、ｐＨ調整剤を添加することにより調整できる。ｐＨ調整剤としては、本発明の効果を損なわない限り特に限定されず、硫酸、水酸化ナトリウム、水酸化カリウム、アルカノールアミン等が好ましい。
ｐＨ調整剤は、１種を単独で用いてもよく、２種以上を併用してもよい。例えば、一定量の硫酸、水酸化ナトリウム等を添加することにより制御した場合、さらに、ｐＨの微調整用として無機酸（好ましくは塩酸、硫酸）又は水酸化カリウム等を添加することができる。
なお、本明細書において、ｐＨは、測定対象を２５℃とし、ｐＨメーター（製品名：ＨＭ−３０Ｇ、東亜ディーケーケー株式会社製）により測定される値を意味する。
【０１１２】
本発明の液体洗浄剤の２５℃における粘度は、２００〜３５０ｍＰａ・ｓが好ましい。２５℃における粘度が上記下限値以上であると、機能性粒子の液体分散性を向上しやすい。２５℃における粘度が上記上限値以下であると、液体洗浄剤のハンドリングに優れやすい。
２５℃における粘度は、ブルックフィールド型（Ｂ型）粘度計でローターの回転数を６０ｒｐｍに設定し、６０秒後に測定される値である。
【０１１３】
本発明の液体洗浄剤を構成する成分の合計量は１００質量％を超えない。
【０１１４】
［液体洗浄剤の製造方法］
本発明の液体洗浄剤は、あらかじめ（Ａ）成分と（Ｂ）成分を任意量の水で希釈した小物を調製しておくことで効果が発現されやすい。液体洗浄剤は、（Ｃ）成分と、必要に応じて任意成分とを、水に溶解し、上記の小物を添加し、ｐＨ調整剤を用いて所定のｐＨに調整することによって製造できる。
【０１１５】
本発明の液体洗浄剤（以下、本発明品ともいう。）の使用方法としては、通常の使用方法が適用できる。例えば、本発明品を、洗濯時に洗濯物と一緒に水に投入する方法、泥汚れや皮脂汚れに本発明品を直接塗布する方法、本発明品を予め水に溶かして衣類を浸漬する方法等が挙げられる。また、本発明品を洗濯物に塗布後、適宜放置し、その後、通常の洗濯液を用いて通常の洗濯を行う方法も好ましい。
本発明品を洗濯時に洗濯物と一緒に水に投入する場合、水１０Ｌに対して、液体洗浄剤を０．５〜３０ｍＬ投入することが好ましい。
【実施例】
【０１１６】
以下に実施例を用いて本発明をさらに詳しく説明するが、本発明はこれら実施例に限定されるものではない。
本実施例において使用した原料は、下記の［使用原料］に示す通りである。
【０１１７】
［使用原料］
＜（Ａ）成分＞
（Ａ）：Ｃ１１Ｈ２３ＣＯＯ（ＣＨ２ＣＨ２Ｏ）ｎＣＨ３とＣ１３Ｈ２７ＣＯＯ（ＣＨ２ＣＨ２Ｏ）ｎＣＨ３との質量比で８／２の混合物、ｎ＝平均１５、ナロー率３３質量％、合成品。
【０１１８】
＜（Ｂ）成分＞
（Ｂ−１）：ポリオキシエチレンアルキルエーテル（天然アルコールＣＯ−１２７０（商品名、プロクターアンドギャンブル社製）に対して、平均１５モル相当のエチレンオキシドを付加したもの）。
（Ｂ−２）：直鎖アルキル（炭素数１０〜１４）ベンゼンスルホン酸、商品名「ライポンＬＨ−２００」（平均分子量：３２２）、ライオン株式会社製、系内ではモノエタノールアミンと塩を形成して直鎖アルキルベンゼンスルホン酸塩として存在（平均分子量：３８３）。
【０１１９】
＜（Ｃ）成分＞
（Ｃ）：アクリル酸アルキル、メタクリル酸アルキル、アクリル酸、及びメタクリル酸からなる群から選択される２種類以上のモノマーから合成される架橋型共重合体、商品名「Ｃａｒｂｏｐｏｌ  Ａｑｕａ３０」、Ｌｕｂｒｉｚｏｌ社製。
【０１２０】
＜任意成分＞
（Ｄ）：ジメチルジアリルアンモニウム・アクリルアミドコポリマー、商品名「Ｎｏｖｅｒｉｔｅ３００」、Ｌｕｂｒｉｚｏｌ社製。
（Ｅ）：ヤシ脂肪酸、日油株式会社製。
（Ｆ）：イソオクチル酸２−エチルヘキシル、商品名「イソオクチル酸２−エチルヘキシル」、ライオン・スペシャリティ・ケミカルズ社製。
【０１２１】
（任意成分Ｘ）
各成分の末尾の数値は、各例の処理液中の含有量である。
エタノール：商品名「特定アルコール９５度合成」、日本アルコール販売株式会社製・・・２質量％
３−メトキシ−３−メチル−１−ブタノール：商品名「ソルフィット」、株式会社クラレ製・・・６質量％。
ポリエチレングリコール：商品名「ＰＥＧ＃１０００−６０Ｌ」、ライオン株式会社・・・２質量％。
安息香酸ナトリウム：商品名「安息香酸ナトリウム」、東亜合成株式会社製・・・０．５質量％。
クエン酸：商品名「液体クエン酸」、一方社油脂工業株式会社製・・・０．１質量％。
赤色１０６号：商品名「赤色１０６号」、癸巳化成株式会社製・・・０．０００１５質量％。
黄色２０３号：商品名「黄色２０３号」、中央合成化学株式会社製・・・０．０００１質量％。
ソイルリリースポリマー：商品名「ＴｅｘＣａｒｅ  ＳＲＮ−１７０Ｃ」（クラリアントジャパン社製、質量平均分子量＝２０００〜３０００、ｐＨ（２０℃の５質量％水溶液）＝４、粘度（２０℃）＝３００ｍＰａ・ｓ。ＴｅｘＣａｒｅ  ＳＲＮ−１７０Ｃは、商品名「ＴｅｘＣａｒｅ  ＳＲＮ−１００」（クラリアントジャパン社製、質量平均分子量＝２０００〜３０００）の７０質量％水溶液）・・・０．５質量％。
イソチアゾロン液：商品名「ケーソンＣＧ」（ローム・アンド・ハース社製、５−クロロ−２−メチル−４−イソチアゾリン−３−オン／２−メチル−４−イソチアゾリン−３−オン／マグネシウム塩／水の混合液）・・・０．０００１質量％。
香料：特開２００９−１０８２４８記載の香料成分ａ・・・０．８質量％。
モノエタノールアミン：商品名「モノエタノールアミン」、株式会社日本触媒製・・・ｐＨ７．３とする量。
ジブチルヒドロキシトルエン：商品名「ＳＵＭＩＬＺＥＲ  ＢＨＴ−Ｒ」、住友化学株式会社製・・・０．０５質量％。
グリセリン：商品名「濃グリセリン」、新日本理化株式会社製・・・０．６質量％。
水：イオン交換水・・・バランス（処理液を１００質量％とするための量）。
【０１２２】
（その他の成分）
カプセル香料：本明細書記載のカプセル香料Ａ・・・０．１質量％。
【０１２３】
＜液体洗浄剤の調製＞
下記の手順で、表１に示す組成の液体洗浄剤を下記の手順で調製した。
５００ｍＬのビーカーに、任意成分Ｘのうちポリエチレングリコール、エタノール、３−メトキシ−３−メチル−１−ブタノール、安息香酸ナトリウム、クエン酸水溶液、ｐＨ調整剤（モノエタノールアミン）を入れた。次に、（Ｂ−２）成分、（Ｂ−１）成分、（Ｅ）成分、及び水を入れ、マグネットスターラー（ＭＩＴＡＭＵＲＡ  ＫＯＧＹＯ  ＩＮＣ．製）で充分に攪拌した。続いて、その他の成分、（Ｄ）成分、（Ａ）成分、（Ｃ）成分、を加えて攪拌し、２５℃でのｐＨが７付近であることを確認した後、残りの任意成分Ｘを加えて、液体洗浄剤を得た。
ｐＨの測定には、ｐＨメーター（製品名「ＨＭ−３０Ｇ」、東亜ディーケーケー社製）を用いた。
なお、表１中、各成分の配合量の単位は「質量％」であり、純分換算量を示す。
【０１２４】
＜凝集物（ダマ）抑制効果の評価＞
得られた各例の液体洗浄剤について、以下のようにして、凝集物(ダマ)抑制効果の評価を行った。液体洗浄剤をフィルター（７５μｍ、２００メッシュ、ポンプｓｕｍｉｔｏｍｏ、ＨＦ−５２０  Ｆ０８．００ＤＲＶ）通液後、フィルター上に残った凝集物の存在を目視で観察し、下記評価基準に基づいて凝集物(ダマ)抑制効果を評価し、○のものを合格とした。結果を表１に示す。
《評価基準》
○：凝集物が全くない。
△：凝集物が僅かにある。
×：凝集物がある。
【０１２５】
＜すすぎ性の評価＞
各例の液体洗浄剤０．１０ｇを、２５℃に調温した精製水５００ｍＬに溶解して洗浄液を調製した。この洗浄液２０ｍＬをエプトン管に入れ、このエプトン管を手で１ストローク／秒で２０回振盪した。
エプトン管を２０回振盪し終えてから０．５分間経過後、３分間経過後、７分間経過後に、それぞれの泡の量（ｍＬ；泡と洗浄液との境界から、泡の上端面までの体積）をエプトン管の目盛で読み取った。この泡の量を指標とし、下記の評価基準に基づいてすすぎ性を評価した。泡の量が少ないほど、消泡効果が高く、すすぎ性が良いことを意味する。結果を表１に示す。
《評価基準》
◎：泡の量が３０ｍＬ未満。
○：泡の量が３０ｍＬ以上、４０ｍＬ未満。
△：泡の量が４０ｍＬ以上、７０ｍＬ未満。
×：泡の量が７０ｍＬ以上。
【０１２６】
＜再汚染防止性の評価＞
各例の液体洗浄剤を用いて、以下に示す洗浄工程、すすぎ工程、乾燥工程をこの順序で３回繰り返す洗濯処理を行った。なお、被洗物として、下記の綿布、ポリエステル（ＰＥ）布、湿式人工汚染布及び肌シャツを用いた。
・綿布：再汚染判定布として綿メリヤス（谷頭商店製）５ｃｍ×５ｃｍを５枚。
・ＰＥ布：再汚染判定布としてポリエステルトロピカル（谷頭商店製）５×５ｃｍを５枚。
・湿式人工汚染布：財団法人洗濯科学協会製の汚染布（オレイン酸２８．３％、トリオレイン１５．６％、コレステロールオレート１２．２％、流動パラフィン２．５％、スクアレン２．５％、コレステロール１．６％、ゼラチン７．０％、泥２９．８％、カーボンブラック０．５％（質量比）の組成の汚れが付着した布）を２０枚。
・肌シャツ：ＢＶＤ肌シャツ（ＬＬサイズ、富士紡ホールディングス株式会社製）を細かく（３ｃｍ×３ｃｍ程度）裁断したもの。
・洗浄工程：Ｔｅｒｇ−ｏ−ｔｏｍｅｔｅｒ（ＵＮＩＴＥＤ  ＳＴＡＴＥＳ  ＴＥＳＴＩＮＧ社製）内に、２５℃の３°ＤＨ硬水９００ｍＬを入れ、ここに各例の液体洗浄剤０．６ｇを加え、次いで、前記被洗物を入れた。その後、３°ＤＨ硬水で浴比を２０倍に調整し、１２０ｒｐｍ、２５℃で１０分間洗浄した。
・すすぎ工程：洗浄後の被洗物を１分間脱水した後、２５℃の３°ＤＨ硬水９００ｍＬを入れ、１２０ｒｐｍ、２５℃で３分間すすいだ。この操作（脱水、すすぎ）を２回繰り返した。２回目には、２５℃の３°ＤＨ硬水９００ｍＬに、所定量の柔軟剤を添加してすすぎを行った。柔軟剤には、部屋干しソフラン（ライオン株式会社製）を用いた。
・乾燥工程：すすいだ被洗物を１分間脱水した後、再汚染判定布（綿布）のみを取り出し、濾紙に挟み、アイロンで乾燥した。
分光式色差計（日本電色工業株式会社製、製品名「ＳＥ２００」）を用い、洗濯処理前後の再汚染判定布（綿布）の反射率（Ｚ値）を測定し、下式よりΔＺを求めた。
ΔＺ＝（洗濯処理前のＺ値）−（洗濯処理後のＺ値）
綿布の再汚染判定布におけるΔＺについて、５枚の平均値を求め、下記評価基準に基づいて液体洗浄剤による綿布への再汚染防止性を評価した。結果を表１に示す。
《評価基準》
○：ΔＺ（平均値）が８未満。
△：ΔＺ（平均値）が８以上９未満。
×：ΔＺ（平均値）が９以上。
【０１２７】
【表１】
2019073568.tif 000010
【０１２８】
表１に示す結果から、本発明を適用した実施例１〜５は、凝集物抑制効果が全て「○」で、凝集物の発生を抑制できていることが分かった。一方、（Ａ）成分／（Ｂ）成分で表される質量比が本発明の適用範囲外である比較例１〜６は、凝集物抑制効果が「△」〜「×」で、凝集物の発生を抑制できていないことが分かった。
【０１２９】
本発明の液体洗浄剤によれば、凝集物の発生を抑制でき、かつ、すすぎ性及び再汚染防止性に優れることが分かった。